(57)【要約】【課題】  ＡＶ処理装置１５０において、要素数の多いＡＶ用リストの中から所望のリスト部分を、能率的なユーザ操作でタッチディスプレイ１５９に呼び出す。【解決手段】  帯状画像表示手段１５２は、帯状画像１６１に対し基準位置と該帯状画像１６１の延び方向へ該基準位置からの長さとしての延び方向位置とを設定し、大きい延び方向位置ほど、大きい番号の要素に対応付けて、帯状画像１６１をタッチディスプレイ１５９に表示する。タッチ位置検出手段１５３は、帯状画像１６１におけるユーザタッチ位置を検出する。タッチ対応番号算出手段１５４は、ユーザタッチ位置及びＮに基づき該ユーザタッチ位置に対応付けられている番号をタッチ対応番号として算出する。変更指示手段１５５は、リスト部分表示手段１５１に指示して、タッチ対応番号を含むＮ１個の連続番号の要素に係るリスト部分１６０をタッチディスプレイ１５９に表示する。【選択図】      図９
2006209258.tif 000002
【特許請求の範囲】
【請求項１】
ＡＶ用リストを構成する全要素に連続番号を付け、全要素の総数をＮとして、全要素の中から番号が連続するＮ１（Ｎ１＜Ｎ）個の要素をリスト部分としてタッチディスプレイの第１の表示領域に表示するリスト部分表示手段、
帯状画像に対し基準位置と該帯状画像の延び方向へ該基準位置からの長さとしての延び方向位置とを設定し、大きい延び方向位置ほど、大きい番号の要素に対応付けて、前記帯状画像を前記タッチディスプレイにおいて第２の表示領域に表示する帯状画像表示手段、
帯状画像におけるユーザタッチ位置を検出するタッチ位置検出手段、
ユーザタッチ位置及びＮに基づき該ユーザタッチ位置に対応付けられている番号をタッチ対応番号として算出するタッチ対応番号算出手段、及び
前記リスト部分表示手段が表示するリスト部分が、タッチ対応番号を含むＮ１個の連続番号の要素に係るリスト部分に変更されるように前記リスト部分表示手段に指示する変更指示手段、
を有していることを特徴とするＡＶ処理装置。
【請求項２】
前記全要素の仮番号は、１番からＮ番までの連続する番号とされ、前記帯状画像において、現在選択されている要素の仮番号に対応付けられている延び方向位置には現在番号位置マークを表示し、前記帯状画像の延び方向への前記現在番号位置マークの長さは、前記Ｎが大きいときほど、小さいものとする前記帯状画像表示手段、
を有していることを特徴とする請求項１記載のＡＶ処理装置。
【請求項３】
前記全要素の仮番号は、１番からＮ番までの連続する番号となっており、前記帯状画像において、現在選択されている要素の仮番号に対応付けられている延び方向位置には現在番号位置マークを表示するとともに、前記帯状画像における複数個の所定の延び方向位置に対応付けて目盛りを表示し、目盛りの個数は、Ｎが大きいときほど、増大する前記帯状画像表示手段、
を有していることを特徴とする請求項１又は２記載のＡＶ処理装置。
【請求項４】
前記ＡＶ用リストとは、内蔵ハードディスク装置に記録されている楽曲に係るリストであることを特徴とする請求項１〜３のいずれかに記載のＡＶ処理装置。
【請求項５】
前記ＡＶ処理装置は携帯型楽曲再生装置と通信自在であり、
前記携帯型楽曲再生装置は、内蔵記憶装置に記録されている楽曲を再生して、前記携帯型楽曲再生装置において聴取自在になっているとともに、前記ＡＶ処理装置からの複数個の所定のコマンドを受け付けて各コマンドに対する各処理を実行して処理結果を、前記ＡＶ処理装置へ返すようになっており、
前記ＡＶ用リストとは、前記携帯型楽曲再生装置の内蔵記憶装置に記録されている楽曲に係るリストであることを特徴とする請求項１〜３のいずれかに記載のＡＶ処理装置。
【請求項６】
前記総数Ｎに係る情報を前記携帯型楽曲再生装置から前記ＡＶ処理装置へ応答させる総数情報要求コマンド、及びタッチ対応番号を含むＮ１個の連続番号の要素に係るリスト部分情報を前記携帯型楽曲再生装置から前記ＡＶ処理装置へ応答させるリスト部分情報要求コマンドを前記携帯型楽曲再生装置へ送信し、かつそれらコマンドに対する回答を前記携帯型楽曲再生装置から受信する送受手段、
前記送受手段に前記総数情報要求コマンドを送信させかつ前記総数情報要求コマンドに対する前記携帯型楽曲再生装置からの応答に基づきＮを取得する前記タッチ対応番号算出手段、及び
前記変更指示手段からの変更指示に対して、前記送受手段に、前記ユーザタッチ位置に係る番号を含むリスト部分に係る前記リスト部分情報要求コマンドを送信させかつ該リスト部分情報要求コマンドに対する前記携帯型楽曲再生装置からの応答情報に基づきリスト部分を変更する前記リスト部分表示手段、
を有していることを特徴とする請求項５記載のＡＶ処理装置。
【請求項７】
前記要素とは、楽曲名、又は楽曲を分類するためのカテゴリ名であることを特徴とする請求項１〜４のいずれかに記載のＡＶ処理装置。
【請求項８】
前記帯状画像は、一端を基準位置とする両端付き帯状画像、又は所定の周方向位置を基準位置とするループ状帯状画像であることを特徴とする請求項１〜７のいずれかに記載のＡＶ処理装置。
【請求項９】
前記帯状画像は第１及び第２の帯状画像を含み、前記第１及び前記第２の帯状画像はその延び方向へ複数個の区分を設定され、前記第１の帯状画像にはＮ個の全部の要素が対応付けられているのに対し、第２の帯状画像には、第１の帯状画像におけるユーザタッチ位置を含む区分範囲の延び方向位置に対応付けられた番号の要素のみが対応付けられ、
前記タッチ位置検出手段は、前記帯状画像表示手段が、前記帯状画像へのユーザによる１回目のタッチ用に前記第１の帯状画像を表示し、前記帯状画像へのユーザによる２回目のタッチ用に前記第２の帯状画像を表示するように、前記帯状画像表示手段を制御する、
ことを特徴とする請求項１〜８のいずれかに記載のＡＶ処理装置。
【請求項１０】
ＡＶ用リストを構成する全要素に連続番号を付け、全要素の総数をＮとして、全要素の中から番号が連続するＮ１（Ｎ１＜Ｎ）個の要素をリスト部分としてタッチディスプレイの第１の表示領域に表示するリスト部分表示ステップ、
帯状画像に対し基準位置と該帯状画像の延び方向へ該基準位置からの長さとしての延び方向位置とを設定し、大きい延び方向位置ほど、大きい番号の要素に対応付けて、前記帯状画像を前記タッチディスプレイにおいて前記第２の表示領域に表示する帯状画像表示ステップ、
帯状画像におけるユーザタッチ位置を検出するタッチ位置検出ステップ、
ユーザタッチ位置及びＮに基づき該ユーザタッチ位置に対応付けられている番号をタッチ対応番号として算出するタッチ対応番号算出ステップ、及び
前記第１の表示領域に表示するリスト部分を、タッチ対応番号を含むＮ１個の連続番号の要素に係るリスト部分に変更するリスト部分変更ステップ、
を有していることを特徴とするＡＶ処理方法。
【請求項１１】
前記帯状画像には第１及び第２の帯状画像があり、前記第１及び前記第２の帯状画像はその延び方向へ複数個の区分を設定され、前記第１の帯状画像にはＮ個の全部の要素が対応付けられているのに対し、第２の帯状画像には、第１の帯状画像におけるユーザタッチ位置を含む区分範囲の延び方向位置に対応付けられた番号の要素のみが対応付けられ、
前記帯状画像へのユーザによる１回目のタッチ用に前記第１の帯状画像を表示し、前記帯状画像へのユーザによる２回目のタッチに対して前記第２の帯状画像を表示する前記帯状画像表示ステップ、
ことを特徴とする請求項１０記載のＡＶ処理方法。
【請求項１２】
相互に通信自在のＡＶ処理装置と携帯型楽曲再生装置とが存在し、
前記携帯型楽曲再生装置は、内蔵記憶装置に記録されている楽曲を再生して、前記携帯型楽曲再生装置において聴取自在になっているとともに、前記ＡＶ処理装置からの複数個の所定のコマンドを受け付けて各コマンドに対する各処理を実行して処理結果を、前記ＡＶ処理装置へ返すようになっており、
前記ＡＶ用リストとは、前記携帯型楽曲再生装置の内蔵記憶装置に記録されている楽曲に係るリストであることを特徴とする請求項１０又は１１記載のＡＶ処理方法。
【請求項１３】
請求項１〜９のいずれかに記載のＡＶ処理装置の各手段としてコンピュータを機能させるためのプログラム。
【発明の詳細な説明】
【技術分野】
【０００１】
本発明は、ＡＶ（オーディオ及び／又はビデオ）用リストを構成する要素が多数ある場合にも、ユーザが所望の要素を含むリスト部分を能率的な操作で表示できるようにしたＡＶ処理装置、ＡＶ処理方法及びプログラムに関するものである。
【背景技術】
【０００２】
ｉＰｏｄ（アップル社登録商標）は、ユーザが衣服のポケット等に入れて、持ち運び自在であり、４〜６０ＧＢの内蔵ハードディスク装置には多数（例：４０ＧＢのハードディスク装置の場合は約１万）の楽曲ファイルを記録して、任意の楽曲を適宜、再生して聴取できるようになっている。ｉＰｏｄ（登録商標）は、多数の楽曲からユーザが所望の楽曲を能率的に探し出せるようにするため、クリックホィールを前面パネルに装備し、ユーザがクリックホィール上を指で周回状になぞることにより、表示部に表示される楽曲名を高速で変更できるようにしたり、楽曲を複数個及び階層的なカテゴリに分類し、アーティスト、アルバム名及プレイリスト等のカテゴリの選択を介して楽曲に係る所望の要素群をユーザに提示するようにしている。
【０００３】
一方、ｉＰｏｄ（登録商標）を、自動車の車内に適宜持ち込んで、ＡＶ再生機能付きカーナビゲーションシステムへ接続し、ｉＰｏｄ（登録商標）の内蔵ハードディスク装置内の楽曲を再生して、その再生音をカーオーディオシステムのスピーカから出力する使い方が提案されている。
【０００４】
特許文献１のカラオケ装置では、多数の楽曲の中から所望の楽曲を選曲するために、ロータリエンコーダを回転駆動する回転つまみ（特許文献１の図３）を用意し、ユーザは、回転つまみを指で操作して、回転させることにより、ロータリエンコーダから電気パルスを発生させ、該電気パルスに基づき、表示部に表示される楽曲名を次々に変更するようにしている。また、特許文献１の図９は、テレビ画面上に、番号の連続する複数個の楽曲をリスト部分として一括表示することを開示している。
【０００５】
特許文献２は、多数の楽曲の中から所望の楽曲を能率よく見つけるために、カテゴリに基づき楽曲を分類するとともに、カテゴリをツリー構造で管理することを開示する。
【特許文献１】特開２００４−２３４０３４号公報
【特許文献２】特開２００２−１１６９３３号公報
【発明の開示】
【発明が解決しようとする課題】
【０００６】
ｉＰｏｄ（登録商標）のクリックホィールは、楽曲が少ない場合には、ユーザが指を周回する回数もあまり多くなく、支障はないが、楽曲数が多大になると、それに応じて、周回回数が増え、疲労感が増大する。また、例えば、ＡＶ再生機能付きカーナビゲーションシステムのタッチディスプレイは十分に大きくないので、アーティスト、アルバム名及びプレイリスト等のカテゴリで楽曲を分類しても、各カテゴリ内の総楽曲数が多大になると、タッチディスプレイに、所望の楽曲名を表示するために、タッチディスプレイに表示されるリスト部分を何度もスクロール操作しなければならない。
【０００７】
特許文献１のカラオケ装置における回転操作つまみは、ｉＰｏｄ（登録商標）のクリックホィールの操作と同様に、多数の楽曲から所望の楽曲を選曲する場合には、番号に対応する回転数だけ、回転操作する必要があり、操作能率が悪い。
【０００８】
特許文献２の楽曲管理装置は、ツリー構造のカテゴリに基づいて楽曲を管理するものの、カテゴリ内の楽曲数が多大になったとき、所望の楽曲に係るリスト部分を能率的なユーザ操作で呼び出せない。
【０００９】
本発明の目的は、要素数の多いＡＶ用リストの中から所望のリスト部分をタッチディスプレイに表示する場合に、該リスト部分を能率的なユーザ操作で呼び出させるようにしたＡＶ処理装置、ＡＶ処理方法及びプログラムを提供することである。
【課題を解決するための手段】
【００１０】
本発明のＡＶ処理装置は次のものを有している。
ＡＶ用リストを構成する全要素に連続番号を付け、全要素の総数をＮとして、全要素の中から番号が連続するＮ１（Ｎ１＜Ｎ）個の要素をリスト部分としてタッチディスプレイの第１の表示領域に表示するリスト部分表示手段、
帯状画像に対し基準位置と該帯状画像の延び方向へ該基準位置からの長さとしての延び方向位置とを設定し、大きい延び方向位置ほど、大きい番号の要素に対応付けて、帯状画像をタッチディスプレイにおいて第２の表示領域に表示する帯状画像表示手段、
帯状画像におけるユーザタッチ位置を検出するタッチ位置検出手段、
ユーザタッチ位置及びＮに基づき該ユーザタッチ位置に対応付けられている番号をタッチ対応番号として算出するタッチ対応番号算出手段、及び
リスト部分表示手段が表示するリスト部分が、タッチ対応番号を含むＮ１個の連続番号の要素に係るリスト部分に変更されるようにリスト部分表示手段に指示する変更指示手段。
【００１１】
本発明のＡＶ処理方法は次のステップを有している。
ＡＶ用リストを構成する全要素に連続番号を付け、全要素の総数をＮとして、全要素の中から番号が連続するＮ１（Ｎ１＜Ｎ）個の要素をリスト部分としてタッチディスプレイの第１の表示領域に表示するリスト部分表示ステップ、
帯状画像に対し基準位置と該帯状画像の延び方向へ該基準位置からの長さとしての延び方向位置とを設定し、大きい延び方向位置ほど、大きい番号の要素に対応付けて、帯状画像をタッチディスプレイにおいて第２の表示領域に表示する帯状画像表示ステップ、
帯状画像におけるユーザタッチ位置を検出するタッチ位置検出ステップ、
ユーザタッチ位置及びＮに基づき該ユーザタッチ位置に対応付けられている番号をタッチ対応番号として算出するタッチ対応番号算出ステップ、及び
第１の表示領域に表示するリスト部分を、タッチ対応番号を含むＮ１個の連続番号の要素に係るリスト部分に変更するリスト部分変更ステップ。
【００１２】
本発明のプログラムは、前述又は後述のＡＶ処理装置の各手段としてコンピュータを機能させる。あるいは、本発明のプログラムは、前述又は後述のＡＶ処理方法の各ステップをコンピュータに実現させる。
【発明の効果】
【００１３】
本発明によれば、延び方向位置が番号に対応付けられている帯状画像に対し、ユーザが、所望の要素の番号に対応する延び方向位置をタッチすることにより、該所望の要素を含むリスト部分をタッチディスプレイに表示することができるので、ユーザ操作が簡便となる。
【発明を実施するための最良の形態】
【００１４】
図１は車載用マルチメディアシステム１０及び携帯型楽曲再生装置２０についてそれらの概略及び接続状態を示す全体図である。車載用マルチメディアシステム１０は、自動車に装備され、本体制御装置１１、カラーモニター１２及び左右のスピーカ１３ａ，１３ｂを有している。本体制御装置１１は、地図データベースをもつハードディスク装置を内蔵している。本体制御装置１１は、また、ＤＶＤやＣＤ等の光ディスクをセットされてそれらのデータを読み取るＣＤ／ＤＶＤドライブ１０８（図８）を備えている。カラーモニター１２はタッチパネル１４を前面に有している。
【００１５】
携帯型楽曲再生装置２０は、例えばｉＰｏｄ（登録商標）やｇｉｇａｂｅａｔ（登録商標）であり、手のひらに載せられかつユーザの衣服のポケットやバッグに格納可能の寸法及び重量となっている。携帯型楽曲再生装置２０は、本体２１と、本体２１の前面のそれぞれ上半部及び下半部に配備される液晶表示部２２及び（ｉＰｏｄの場合では）クリックホィール２３と、本体２１に接続されてユーザの耳に装着される左右のイヤホーン２４とを有している。ｉＰｏｄ（登録商標）は内蔵ハードディスク装置を装備し、該内蔵ハードディスク装置には、多数の楽曲データがＡＡＣ（Advanced Audio Coding ）やＭＰ３のファイル形式で記録され、ｉＰｏｄ（登録商標）において適宜読み出し、かつ再生処理して、再生音が左右のイヤホーン２４から聴取可能になっている。
【００１６】
ケーブル１６は、携帯型楽曲再生装置２０の本体２１の分離自在に接続されかつ例えば３０ピンをもつコネクタ１７と、車載用マルチメディアシステム１０の本体制御装置１１の外部左右オーディオ信号入力端子１２１（図８）へ接続される左右のコネクタ１８ａ，１８ｂと、車載用マルチメディアシステム１０の本体制御装置１１のＵＡＲＴ（(Universal Asynchronous Receiver Transmitter) 及び電源用のコネクタへ接続されるコネクタ１９とを備えている。本体制御装置１１はＵＡＲＴインターフェース１２０（図８）を介して携帯型楽曲再生装置２０に対して所定のコマンドを送信し、かつ携帯型楽曲再生装置２０からコマンドに対応する情報を入手するようになっている。本体制御装置１１は、ケーブル１６を介する携帯型楽曲再生装置２０との接続中、コネクタ１９から携帯型楽曲再生装置２０へ所定の電力を送り、携帯型楽曲再生装置２０の内蔵バッテリを充電する。
【００１７】
ｉＰｏｄ（登録商標）では、所定のコマンドが設定済みとなっており、ｉＰｏｄ（登録商標）は、これらコマンドに対して所定の処理を行って、コマンド発行元へ処理結果を返すようになっている。本体制御装置１１は、ｉＰｏｄ（登録商標）のような携帯型楽曲再生装置２０に対しては、携帯型楽曲再生装置２０側のコマンドを使って、携帯型楽曲再生装置２０に指示を出し、携帯型楽曲再生装置２０から返される処理結果をそのまま、又は適当に加工して、ユーザへ各種機能を提供する。
【００１８】
図２はトップカテゴリの画面の表示状態でのカラーモニター１２の正面図である。なお、カラーモニター１２に物理的に装備されている操作キーを「ハードキー」と呼び、タッチパネル１４に適宜表示されて操作時にユーザによりタッチされるキーを「ソフトキー」と呼ぶことにする。説明の便宜上、カラーモニター１２の左右をカラーモニター１２を前方から見たとき（正面視）の左右と定義する。カラーモニター１２の筐体の前面には、タッチパネル１４を左右両側から挟むように左右の側辺部が存在し、ボリュームキー２８は、筐体前面の左側辺部の上部に配備され、ユーザ操作により楽曲の再生音の音量を増減するようになっている。ナビ／テレビ切替キー２９は、筐体前面の右側辺部の上部に配備され、タッチパネル１４の画面をユーザ操作によりナビ用とテレビ用とへ切り替えるようになっている。携帯型楽曲再生装置／ＤＶＤ切替キー３０は、筐体前面の右側辺部の下部に配備され、タッチパネル１４の画面をユーザ操作によりＤＶＤ用と携帯型楽曲再生装置２０用とへ切り替えるようになっている。
【００１９】
トップカテゴリは、ｉＰｏｄ（登録商標）に定義されているものであり、プレイリスト、アーティスト、アルバム、曲、ジャンル及び作曲者の６個のカテゴリを含み、これらカテゴリは、１個のリストを構成し、トップカテゴリ画面において縦に一列に順番に配置される。ｉＰｏｄタグ３３、セットアップタグ３４及び現在時刻表示ウィンドウ３５は、トップカテゴリ画面において上辺部に配列される。トップカテゴリ画面は、ｉＰｏｄタグ３３がタッチパネル１４上でタッチされたときに、表示されるものである。ユーザは、タッチパネル１４の画面を１個、下位の階層のカテゴリ群の表示に切り替えたい場合には、プレイリスト、アーティスト、アルバム、曲、ジャンル及び作曲者の中から所望のカテゴリの部位をタッチする。
【００２０】
図３はカテゴリの階層図である。図３のカテゴリの階層構造は携帯型楽曲再生装置２０において定義される。カテゴリの階層構造における各カテゴリ群又は各曲名（曲名＝楽曲名）群はリストを構成し、リスト同士は、ツリー構造を構成している。トップカテゴリの各カテゴリは、各ツリー構造において最上位の階層であり、各ツリー構造においてリーフに相当するリストは、すべて、曲名を要素とする。また、「すべて」と定義するカテゴリが、プレイリスト名のリストと曲名のリストとを除く、各リストに存在している。ユーザが「すべて」を選択した場合、その「すべて」を含んでいたリストの全カテゴリの曲名から成るリストが選択されたことになる。同一の曲名が複数個のカテゴリに属することがある。携帯型楽曲再生装置２０内のハードディスク装置に記録されている楽曲には、記録順に１から始まる連続番号（以下、この番号を、「記録順番号」という。）が付与されている。
【００２１】
図４は楽曲名を要素とするリストのリスト部分の画面の表示状態でのカラーモニター１２の正面図である。図４に係るリストは、図３のツリー構造のリーフでかつ曲名のリスト、又は「すべて」を選択したことにより表示されるリストである。楽曲名を要素とするリストのリスト部分の画面は、ユーザが図３のリーフのリストへ移行したときに、リストごとに、該リストを構成する各要素には、管理の便宜上、１から連続する仮番号が付与される。各リストにおいて付与される仮連続番号の大小関係は、携帯型楽曲再生装置２０における記録順番号の大小関係に一致させられる。タッチパネル１４のサイズは小さいので、タッチパネル１４には、リスト全体を表示することができず、現在選択されているリストに属する楽曲名の内、連続する６個の仮番号の楽曲の楽曲名４１のみが縦一列にタッチパネル１４にリスト部分として表示される。ユーザが、タッチパネル１４に現在、表示されている楽曲名４１の縦列の中の１個をタッチすると、該タッチされた楽曲名４１の楽曲の再生が開始される。
【００２２】
図４の楽曲名４１のリスト部分画面における各ソフトキーについて説明する。現在再生中楽曲名用リスト部分戻りキー４３は、楽曲名４１の列の上端の高さにあり、ユーザが、現在再生中の楽曲（以下、該楽曲を「楽曲Ｇ」という。）の楽曲名が表示されていないリスト部分画面から、楽曲Ｇを含むリスト部分画面へ戻ることを希望したときに、タッチするものである。なお、図４の表示画面は楽曲Ｇを含むリスト部分画面であり、該楽曲Ｇの楽曲名４１（４行目の楽曲名４１）は音符マーク４２付きとなっている。図４のリスト部分画面では、楽曲Ｇの楽曲名４１が表示されているので、もしユーザが現在再生中楽曲名用リスト部分戻りキー４３にタッチしても、画面の変更はない。楽曲名４１は、計６個、縦一列に配列されているが、各楽曲名４１に付与されている仮番号は、１行ずつ下へ移行するに連れて１ずつ増大している。前頁スキップキー４４及び次頁スキップキー４５は、楽曲名４１の縦列の左側及び右側にそれぞれ配置され、ユーザが、現在表示されている頁のリスト部分として、前頁及び次頁（後頁）のリスト部分を表示したいときに、タッチするものである。
【００２３】
現在再生中楽曲用ウィンドウ４６及びタイムコードウィンドウ５０は楽曲名４１の縦列の上側に左右に配置され、現在再生中楽曲用ウィンドウ４６は楽曲名表示部４７及びテキストスクロールキー４８を含む。楽曲名表示部４７は、楽曲Ｇの楽曲名が表示される。現在再生中楽曲用ウィンドウ４６及びタイムコードウィンドウ５０は、楽曲の再生中、常時、画面の最前面に表示されるのに対し、楽曲名４１のリスト部分画面は、ユーザが適宜前頁スキップキー４４又は次頁スキップキー４５にタッチすることにより、楽曲Ｇの楽曲名を含まないリスト部分画面へ遷移したり、ユーザがハードキーやソフトキーを適宜、押下操作やタッチすることにより楽曲名ではないものを要素とするカテゴリに係るリスト部分画面へ遷移する。テキストスクロールキー４８は、楽曲名が長いために、楽曲名の末尾部分が楽曲名表示部４７に表示し切れないときに、該末尾部分を所定時間だけ表示するときに、ユーザによりタッチされるものである。タイムコードウィンドウ５０は、楽曲Ｇのタイムコードを表示する。
【００２４】
トップカテゴリ戻りキー５３及び階層アップキー５５は次頁スキップキー４５の上方においてそれぞれ上及び下の相対関係で配置される。トップカテゴリ戻りキー５３はトップカテゴリの画面（図２）へ直接に戻るときにユーザによりタッチされるものである。階層アップキー５５は、リスト部分が現在、表示されているリストに対して１個の上位階層のリストへ戻るときにユーザによりタッチされるものである。ラージメニュー戻りキー５７は、タッチパネル１４の右下隅に配置され、ラージメニューの画面（図示せず）に戻るときにタッチされるものである。ラージメニューとは、車載用マルチメディアシステム１０に携帯型楽曲再生装置２０が接続されたときに、カラーモニター１２に最初に表示する画面として設定されており、今回接続された携帯型楽曲再生装置２０の名前のほか、ユーザが頻繁に使用する３個のカテゴリ（例：ファイル名、アーティスト名及びアルバム名）を表示する。ラージメニューには、下部に、１曲リピート、スキャン、曲ランダム（複数曲をランダムに配列して、配列順に再生）、アルバムランダム（複数アルバムをランダムに配列して、その配列順にアルバムを選択して、各アルバム内の楽曲を記録順に再生）、早戻し、早送り、アップ方向へスキップ、再生、停止、及びダウン方向へスキップの各種ソフトキーが配備される。
【００２５】
ジャンプバー５８は、楽曲名４１の縦列の下方に表示され、軸方向へ等間隔に目盛り（例えば、ジャンプバー５８の長さＬに対して１／１０ずつの目盛り）を付けられている。ジャンプバー５８は、現在選択されているカテゴリに対応付けられたリスト内の多数の要素の中から所望の要素を選択して、該要素を含むリスト部分をタッチパネル１４に表示するときに、ユーザがジャンプバー５８の長さ方向の部位をタッチするものとなっている。図４のジャンプバー５８は、楽曲名４１を選択するためのものであるが、楽曲名４１ではなく、図３におけるアーティスト名のリスト、アルバム名のリスト、及びジャンル名のリスト内の所望の要素を能率的に選択して、タッチパネル１４に表示する場合にも適用される。
【００２６】
現在番号位置マーク５９は、ジャンプバー５８上の位置に表示され、仮番号全体の中での現在再生中の楽曲の仮番号の相対位置を示している。現在再生中の楽曲は、現在再生中楽曲用ウィンドウ４６に表示されているように、３００００曲中の２００００番目の曲であり、ジャンプバー５８における現在番号位置マーク５９の軸方向位置は、ジャンプバー５８の全長をＬとしたときに、ジャンプバー５８の左端から（２／３）・Ｌの位置にある。ユーザは、ジャンプバー５８にタッチするとき、ジャンプバー５８の１／１０ずつの目盛りの他に、ジャンプバー５８における現在番号位置マーク５９の位置、及び現在再生中楽曲用ウィンドウ４６における仮番号を目安に、所望の番号の箇所を的確に知ることができる。
【００２７】
ジャンプバー５８は、左端を軸方向位置＝０の原点とし、左端から右方向へ延びる横軸を考え、各横軸方向位置に番号を対応付けている。すなわちリストの要素には、前述したように、１から始まって連続する各リスト用の仮番号が付与されている。現在選択されているリストにおいて最大仮番号をＮと定義する。ジャンプバー５８はその長さ全体にわたりＮ個の等長区分に区分化され、ジャンプバー５８におけるｙ４は、ジャンプバー５８の左端から右端へ順番に仮番号１，２，・・・，Ｎに対応付けられる。これにより、各要素は、その仮番号をＮ１とし、ジャンプバー５８の長さＬとした場合、Ｌ・（Ｎ１／Ｎ）番目のｙ４に対応付けられる。したがって、原則的には、ユーザが軸方向位置Ｌ１の箇所をタッチしたとき、Ｎ・（Ｌ１／Ｌ）番の要素を含むリスト部分がタッチパネル１４に表示される。Ｎがある程度大きい数になると、１個の要素当たりに割り付けられる長さ範囲Ｌ／Ｎが短くなり、ユーザは、所望の要素に対応付けられている箇所を的確にタッチできず、少しずれた箇所をタッチすることがある。その場合、ユーザが希望したリスト部分ではなく、前後方向へその近辺の別のリスト部分がタッチパネル１４に表示されることになるが、ユーザは、前頁スキップキー４４又は次頁スキップキー４５を適宜、タッチして、所望のリスト部分をタッチパネル１４に表示するか、所望のリスト部分がタッチパネル１４に表示されるまで、２度、３度とジャンプバー５８へのタッチを試みるかする。
【００２８】
図５は改良したジャンプバー５８の説明図である。前述したように、Ｎが大きくなると、ジャンプバー５８上で、１個の要素当たりに割り付けられる長さ範囲Ｌ／Ｎが短くなり、かつ指幅もあるので、ジャンプバー５８におけるタッチ箇所をＬ／Ｎの精度で識別することが困難になる。改良したジャンプバー５８は、複数段のジャンプバー５８ａ，５８ｂ，５８ｃ・・・により、段階的にタッチパネル１４に表示される。段階数は、適当な自然数であり、例えば２でもよく、その場合は、ジャンプバー５８ａ，５８ｂのみとなり、ジャンプバー５８ｃ以降は存在しない。
【００２９】
適当な整数Ｃを、ジャンプバー５８の長さＬやユーザの指幅等に基づき設定する。図５では、便宜上、Ｃ＝１０とされているが、Ｃとして１より大きいその他の整数（例：２や１００）を選択してもよい。ジャンプバー５８ａ，５８ｂ，５８ｃ，・・・は長さ方向へＣ個の等長区分を設定されている。ジャンプバー５８ａ，５８ｂ，５８ｃ・・・は、それぞれユーザによる１回目、２回目、３回目・・・に表示するジャンプバー５８となっており、表示順では第１段、第２段、第３段、・・・となっており、長さ方向へＣ個のＬ／Ｃの等長区分を割り当てられ、各等長区分はリストの要素の連続番号部分に対応付けられている。ジャンプバー５８ａはＮ個の仮番号範囲に対応し、ジャンプバー５８ｂはＮ／Ｃ個の仮番号範囲に対応し、ジャンプバー５８ｃはＮ／Ｃ2・・・に対応する。例えばジャンプバー５８ａでは、各等区分は、要素の番号に対して、左側の等区分から順番に１〜（Ｎ／Ｃ），（Ｎ／Ｃ）＋１〜２・（Ｎ／Ｃ），２・（Ｎ／Ｃ）＋１〜３・（Ｎ／Ｃ），・・・，（Ｃ−１）・（Ｎ／Ｃ）＋１〜Ｎの番号範囲に対応付けられている。
【００３０】
ユーザが、ジャンプバー５８ａに対して所定の区分をタッチしたとすると、該タッチ区分に対応するジャンプバー５８ｂがジャンプバー５８ａに代わって表示される。図５では、ジャンプバー５８ａに対しては左から７番目の等長区分がタッチされ、ジャンプバー５８ｂに対しては左から２番目の等長区分がタッチされるたと仮定している。ユーザがジャンプバー５８ａに対し例えば左から７番目の区分をタッチしたとすると、ジャンプバー５８ｂでは、ジャンプバー５８ａの７番目の区分に対応付けられている番号範囲は長さＬに伸張される。こうして、後から現れるジャンプバー５８ほど、単位番号範囲当たりに割り付けられる長さは増大し、ジャンプバー５８ｂでは、単位番号範囲当たりに割り付けられる長さは、ジャンプバー５８ａのときの長さのＣ倍になり、ジャンプバー５８ｃでは、単位番号範囲当たりに割り付けられる長さは、ジャンプバー５８ａのときの長さのＣ2倍になる。例えば、要素数が１００００であり、Ｃ＝１０である場合、ユーザの３回目のタッチで、各等長区分が１曲に対応付けられるジャンプバー５８（＝ジャンプバー５８ｄ）が出現する。このような段階的ジャンプバー５８の採用により、Ｎが膨大な場合にも、少ないタッチ操作で、所望の番号の要素を高精度で選択できる。
【００３１】
図６はジャンプバー５８における現在番号位置マーク５９の幅についての説明図である。前述したように、ジャンプバー５８において、各等長区分は、その左端の等長区分から右端の等長区分へ順番に仮番号１番からＮ番までを対応付けられている。そして、現在番号位置マーク５９は、ジャンプバー５８において、現在選択されている楽曲の仮番号に対応付けられている箇所を示している。現在番号位置マーク５９について、ジャンプバー５８の延び方向への長さ（以下、「幅」という。）は、Ｎが大きいときほど、減少するようになっている。例えば、図６（ａ）及び（ｂ）では、現在番号位置マーク５９の幅は総数Ｎに対して反比例させており、リストの楽曲の総数Ｎが図６（ａ）及び（ｂ）の場合それぞれＮａ及びＮｂ（＝２・Ｎａ）とすると、現在番号位置マーク５９の幅は、（ａ）及び（ｂ）の場合にそれぞれＬ／Ｎａ，Ｌ／（２・Ｎａ）とされる。ユーザは、ジャンプバー５８における現在番号位置マーク５９の相対位置に基づき、現在選択している楽曲の仮番号が、現在のリストの全楽曲の仮番号の中で、どの位置に存在するかを認知できるとともに、現在番号位置マーク５９の幅に基づき楽曲の総数を容易に認知できる。
【００３２】
現在番号位置マーク５９の幅の他の例として、リスト部分の楽曲名の個数をＭ（図４では、Ｍ＝６である。）とすると、現在番号位置マーク５９の幅＝（Ｍ・Ｌ）／Ｎとすることもできる。また、Ｎが大きな自然数になると、現在番号位置マーク５９の幅が狭くなり過ぎて、ユーザに見え難くなるので、現在番号位置マーク５９の幅に最小値を設定してもよい。
【００３３】
現在番号位置マーク５９の幅の表示について、ジャンプバー５８における等長区分を利用することが可能である。すなわち、ジャンプバー５８は、例えば、Ｎ個の等長区分から成り、それら等長区分は、ジャンプバー５８の左端から右端への方向へ順番に、仮番号１，２，・・・Ｎ番に対応付けられているとともに、各等長区分の幅はＬ／Ｎとなっている。したがって、ジャンプバー５８において、現在選択中の楽曲の仮番号に対応付けられている等長区分に、該等長区分の幅全体にわたる幅の現在番号位置マーク５９を表示すれば、該現在番号位置マーク５９の幅は、Ｌ／Ｎとなって、Ｎの増大に連れて減少するものとなる。
【００３４】
図７はジャンプバー５８における目盛り６０についての説明図である。Ｎ＝１０に対して、図７（ａ）及び（ｂ）では、目盛り６０の個数がそれぞれ５個及び１０個である場合のジャンプバー５８を例示している。複数個の目盛り６０はジャンプバー５８において等間隔に表示されるが、目盛り６０の個数が固定的であると、（ａ）のように、現在番号位置マーク５９に対して荒くなり、ユーザはジャンプバー５８の仮番号位置を認識しずらくなる。（ｂ）のように、Ｎが増大するに連れて、目盛り６０の個数が増大するように、Ｎに合わせて目盛り６０の個数を調整すると、ユーザは、全部の楽曲名の中における現在番号位置マーク５９に係る楽曲名の仮番号の位置を認識し易くなる。
【００３５】
図７（ｃ）及び（ｄ）は、図７（ｂ）に対して、さらに、現在番号位置マーク５９の幅を、Ｎが減少するほど、増大させた場合のジャンプバー５８を例示している。図７（ｃ）及び（ｄ）では、意義を分かり易くするために、Ｎ＝２となっている。現在番号位置マーク５９の幅は、Ｎに応じて増減するようになっており、Ｌ／Ｎにされている。図７（ｃ）では、Ｎが２になったにもかかわらず、目盛り６０は、その個数が固定され、ジャンプバー５８の両端を除くと、８個とされている。これに対し、図７（ｄ）では、目盛り６０は、個数Ｎ−１に設定され、目盛り６０と現在番号位置マーク５９の仮番号との対応付けが認識し易くなっている。
【００３６】
図８は車載用マルチメディアシステム１０のハードウェア構成図である。なお、図８において、本体制御装置１１の要素は、カラーモニター１２及びスピーカ１３ａ，１３ｂ以外の全部である。ＧＰＳモジュール１０１は、ＧＰＳ衛星からの電波に基づき自車位置を検出する。ＶＩＣＳ（Vehicle Information and Communication System）モジュール１０２は、ＦＭ多重放送等から道路渋滞情報を受信する。ＴＶチューナ１０３は、ＶＨＦやＵＨＦのテレビ放送電波に係るビデオ及びオーディオ信号を出力する。ハードディスク装置１０４は、地図データベース１０５を含むとともに、ＣＤ等からダビングした楽曲データ等を適宜書き込み及び読み出し自在になっている。ＣＤ／ＤＶＤドライブ１０８は、所定のＣＤ−ＲＯＭから地図データベース１０５用のデータを読み取り自在になっているとともに、音楽ＣＤやＤＶＤ等から楽曲や映画の再生用データを読み取り可能になっている。処理及び制御装置１１０は、ＣＰＵを含み、ＧＰＳモジュール１０１、ＶＩＣＳモジュール１０２、ＴＶチューナ１０３、ハードディスク装置１０４及びＣＤ／ＤＶＤドライブ１０８からのデータ及び信号を受け取り、各種の処理を実行する。画像生成器１１２は、処理及び制御装置１１０から入力されるデータに基づき画像表示信号を生成して、カラーモニター１２に出力する。ユーザは、本体制御装置１１に対して指示や入力を行なう際は、メニューやキーボードの表示されているカラーモニター１２のタッチパネル画面に対して、所定位置を指でタッチすることになっている。タッチ位置検出器１１４は、ユーザが、指でタッチした位置を検出し、処理及び制御装置１１０へ出力する。Ｄ／Ａ変換器１１５は、処理及び制御装置１１０からデジタルオーディオ信号を受け、それをアナログオーディオ信号へ変換して、スピーカ１３ａ，１３ｂへ出力する。
【００３７】
本体制御装置１１は、さらに、ＵＡＲＴインターフェース１２０及び外部左右オーディオ信号入力端子１２１を有している。図１において、前述したように、携帯型楽曲再生装置２０を本体制御装置１１へ接続する場合、ケーブル１６のコネクタ１９は、ＵＡＲＴインターフェース１２０へ接続され、コネクタ１８ａ，１８ｂは外部左右オーディオ信号入力端子１２１へ接続される。この本体制御装置１１は、ＣＤ−ＡＵＤＩＯ、ＤＶＤ−ＡＵＤＩＯ及びＤＶＤ−ＶＩＤＥＯをＣＤ／ＤＶＤドライブ１０８にセットして、それらに記録されている楽曲やビデオを再生できるだけでなく、携帯型楽曲再生装置２０から外部左右オーディオ信号入力端子１２１へ入力された楽曲再生音を、スピーカ１３ａ，１３ｂから適宜、放音できるようになっている。
【００３８】
図９はＡＶ処理装置１５０の機能ブロック図である。ＡＶ処理装置１５０は、リスト部分表示手段１５１、帯状画像表示手段１５２、タッチ位置検出手段１５３、タッチ対応番号算出手段１５４及び変更指示手段１５５を有している。リスト部分表示手段１５１は、ＡＶ用リストを構成する全要素に連続番号を付け、全要素の総数をＮとして、全要素の中から番号が連続するＮ１（Ｎ１＜Ｎ）個の要素をリスト部分１６０としてタッチディスプレイ１５９の第１の表示領域に表示する。帯状画像表示手段１５２は、帯状画像１６１に対し基準位置と該帯状画像１６１の延び方向へ該基準位置からの長さとしての延び方向位置とを設定し、大きい延び方向位置ほど、大きい番号の要素に対応付けて、帯状画像１６１をタッチディスプレイ１５９において第２の表示領域に表示する。
【００３９】
タッチ位置検出手段１５３は、帯状画像１６１におけるユーザタッチ位置を検出する。タッチ対応番号算出手段１５４は、ユーザタッチ位置及びＮに基づき該ユーザタッチ位置に対応付けられている番号をタッチ対応番号として算出する。変更指示手段１５５は、リスト部分表示手段１５１が表示するリスト部分１６０が、タッチ対応番号を含むＮ１個の連続番号の要素に係るリスト部分１６０に変更されるようにリスト部分表示手段１５１に指示する。
【００４０】
ＡＶ処理装置１５０の一例は前述の本体制御装置１１である。ＡＶ処理装置１５０は、車載用に限定されず、家庭や事務所に配置されるものであってもよい。ＡＶ処理装置１５０は、典型的には、楽曲用リスト処理装置及び楽曲再生装置である。タッチディスプレイ１５９の一例は図１のカラーモニター１２である。第１及び第２の表示領域は、典型的には、部分的にも重ならない表示領域であるが、部分的に多少、重なっていてもよいとする。帯状画像１６１は、例えば、一端を基準位置とする両端付き帯状画像、又は所定の周方向位置を基準位置とするループ状帯状画像である。帯状画像１６１は、直線状に延びるものに限定されず、曲線状及びジクザグ状に延びるものを含む。帯状画像１６１は、円環状、すなわちエンドレス状のものであってもよい。左右方向へ直線状に延びる帯状画像１６１において、例えば、基準位置とは左端であり、延び方向位置とは、該基準位置からの右方向距離である。円環状に延びる帯状画像１６１において、例えば、基準位置とは、該円環状帯状画像１６１を時計にたとえると、０時の位置であり、延び方向とは時計方向である。リスト部分１６０の一例は図４における楽曲名４１の列である。リスト部分１６０における要素は、例えば、ユーザが該要素を選択してタッチするためにある。要素が楽曲名であるときは、ユーザはリスト部分１６０の所望の楽曲名をタッチすることにより、該楽曲名の楽曲の再生が開始する。
【００４１】
帯状画像１６１において、番号が大きい要素ほど、大きな延び方向位置に対応付けられているので、ユーザは所望の番号に対応付けられている延び方向位置を能率的に判断できる。こうして、ユーザは、要素の膨大なリストに対しても、所望の番号の要素に係るリスト部分１６０を能率的かつ迅速にタッチディスプレイ１５９に表示できる。
【００４２】
ＡＶ処理装置１５０をさらに具体的に説明する。
【００４３】
現在番号位置マーク１６６を改善したＡＶ処理装置１５０では、全要素の仮番号は、１番からＮ番までの連続する番号とされる。帯状画像表示手段１５２は現在番号位置マーク１６６付きの帯状画像１６１を表示する。帯状画像１６１において、現在番号位置マーク１６６は、現在選択されている要素の仮番号に対応付けられている延び方向位置に表示される。帯状画像１６１の延び方向への現在番号位置マーク１６６の長さは、Ｎが大きいときほど、小さいものとする。
【００４４】
帯状画像１６１の一例は現在番号位置マーク５９（図６）である。現在番号位置マーク１６６の長さは、帯状画像１６１の全長をＬとすると、例えばＬ／Ｎとされる。ユーザは、現在番号位置マーク１６６の長さに基づきＮを直感することができ、帯状画像１６１からＮを認識し易くなる。
【００４５】
目盛り１６７を改善したＡＶ処理装置１５０でも、全要素の仮番号は、１番からＮ番までの連続する番号となっている。帯状画像表示手段１５２は、帯状画像１６１において、現在選択されている要素の仮番号に対応付けられている延び方向位置には現在番号位置マーク１６６を表示するようになっているとともに、目盛り１６７を表示する。目盛り１６７は、帯状画像１６１における複数個の所定の延び方向位置に対応付けられて表示される。そして、目盛り１６７の個数は、Ｎが大きいときほど、増大するものとされる。
【００４６】
目盛り１６７の一例は図７（ｂ）及び（ｄ）の目盛り６０である。目盛り１６７の個数Ｍは、例えば、Ｎが小さい場合には、Ｎ＝Ｍとされてもよいし、Ｎが大きい場合には、Ｎに比例するものとされてもよい。これにより、ユーザは、現在番号位置マーク１６６の仮番号について全仮番号の中における相対位置を認識し易くなる。
【００４７】
ＡＶ用リストとは、内蔵ハードディスク装置に記録されている楽曲に係るリストである。該内蔵ハードディスク装置の一例は図８のハードディスク装置１０４である。楽曲に係るリストには、楽曲のカテゴリ、例えばプレイリスト、アーティスト、アルバム、曲、ジャンル及び作曲者に係るリストも含むものとする。すなわち、要素とは、楽曲名、又は楽曲を分類するためのカテゴリ名である。
【００４８】
ＡＶ処理装置１５０は携帯型楽曲再生装置１６５と通信自在となっている。携帯型楽曲再生装置１６５は、内蔵記憶装置に記録されている楽曲を再生して、携帯型楽曲再生装置１６５において聴取自在になっているとともに、ＡＶ処理装置１５０からの複数個の所定のコマンドを受け付けて各コマンドに対する各処理を実行して処理結果を、ＡＶ処理装置１５０へ返すようになっている。ＡＶ用リストとは、携帯型楽曲再生装置１６５の内蔵記憶装置に記録されている楽曲に係るリストである。携帯型楽曲再生装置１６５の一例は図１の携帯型楽曲再生装置２０であり、携帯型楽曲再生装置２０は単体で楽曲を再生して聴取できるものである。携帯型楽曲再生装置１６５の内蔵記憶装置は、内蔵ハードディスク装置に限定されず、ＩＣメモリ等の他の記憶装置を含むものとする。
【００４９】
ＡＶ処理装置１５０はさらに送受手段１６９を有している。送受手段１６９は、総数Ｎに係る情報を携帯型楽曲再生装置１６５からＡＶ処理装置１５０へ応答させる総数情報要求コマンド、及びタッチ対応番号を含むＮ１個の連続番号の要素に係るリスト部分情報を携帯型楽曲再生装置１６５からＡＶ処理装置１５０へ応答させるリスト部分情報要求コマンドを携帯型楽曲再生装置１６５へ送信し、かつそれらコマンドに対する回答を携帯型楽曲再生装置１６５から受信する。これに対し、タッチ対応番号算出手段１５４は、送受手段１６９に総数情報要求コマンドを送信させ、かつ総数情報要求コマンドに対する携帯型楽曲再生装置１６５からの応答に基づきＮを取得する。また、リスト部分表示手段１５１は、変更指示手段１５５からの変更指示に対して、送受手段１６９に、ユーザタッチ位置に係る番号を含むリスト部分１６０に係るリスト部分情報要求コマンドを送信させ、かつ該リスト部分情報要求コマンドに対する携帯型楽曲再生装置１６５からの応答情報に基づきリスト部分１６０を変更する。
【００５０】
ＡＶ処理装置１５０と携帯型楽曲再生装置１６５との間の通信は、ケーブルを介するものや、ケーブルを介さずにＵＳＢの直付けの接続を介するもの、さらに、無線による通信を含むものとする。ユーザは、ＡＶ処理装置１５０が携帯型楽曲再生装置１６５にとっては外部接続の機器ながら、ＡＶ処理装置１５０におけるユーザ操作を介して、携帯型楽曲再生装置１６５の内蔵記憶装置に記憶されている要素としての楽曲を、ＡＶ処理装置１５０側のスピーカ等を介して聴取できることになる。
【００５１】
帯状画像１６１は第１及び第２の帯状画像を含む。第１及び第２の帯状画像はその延び方向へ複数個の区分を設定され、第１の帯状画像にはＮ個の全部の要素が対応付けられている。これに対し、第２の帯状画像には、第１の帯状画像におけるユーザタッチ位置を含む区分範囲の延び方向位置に対応付けられた番号の要素のみが対応付けられる。タッチ位置検出手段１５３は、帯状画像表示手段１５２が、帯状画像１６１へのユーザによる１回目のタッチ用に第１の帯状画像を表示し、帯状画像１６１へのユーザによる２回目のタッチ用に第２の帯状画像を表示するように、帯状画像表示手段１５２を制御する。
【００５２】
第１及び第２の帯状画像における区分は典型的には等区分である。第１及び第２の帯状画像の一例は図５のジャンプバー５８ａ，５８ｂである。Ｎが膨大になると、帯状画像１６１において各番号に割り付けられる延び方向長さは短くなり、ユーザが的確にタッチし難くなる。全体を選択できる第１の帯状画像においてユーザタッチされた区分に対応付けられる番号範囲に限定して、１個の番号当たりに割り付けられる延び方向長さを増大した第２の帯状画像が用意される。ユーザは、所望の番号を選択するために、帯状画像１６１へのタッチ回数は増大するが、所望の番号の要素を帯状画像１６１から正確に選択できる。
【００５３】
図１０はＡＶ処理方法１８０のフローチャートである。Ｓ１８１では、ＡＶ用リストを構成する全要素に連続番号を付け、全要素の総数をＮとして、全要素の中から番号が連続するＮ１（Ｎ１＜Ｎ）個の要素をリスト部分１６０としてタッチディスプレイ１５９の第１の表示領域に表示する。帯状画像１６１に対し基準位置と該帯状画像１６１の延び方向へ該基準位置からの長さとしての延び方向位置とを設定する。Ｓ１８２では、大きい延び方向位置ほど、大きい番号の要素に対応付けて、帯状画像１６１をタッチディスプレイ１５９において第２の表示領域に表示する。Ｓ１８３では、帯状画像１６１におけるユーザタッチ位置を検出する。Ｓ１８４では、ユーザタッチ位置及びＮに基づき該ユーザタッチ位置に対応付けられている番号をタッチ対応番号として算出する。Ｓ１８５では、第１の表示領域に表示するリスト部分１６０を、タッチ対応番号を含むＮ１個の連続番号の要素に係るリスト部分１６０に変更する。
【００５４】
ＡＶ処理方法１８０をさらに具体的に説明する。
【００５５】
帯状画像１６１には第１及び第２の帯状画像があり、第１及び第２の帯状画像はその延び方向へ複数個の区分を設定され、第１の帯状画像にはＮ個の全部の要素が対応付けられているのに対し、第２の帯状画像には、第１の帯状画像におけるユーザタッチ位置を含む区分範囲の延び方向位置に対応付けられた番号の要素のみが対応付けられる。Ｓ１８２では、帯状画像１６１へのユーザによる１回目のタッチ用に第１の帯状画像を表示し、帯状画像１６１へのユーザによる２回目のタッチに対して第２の帯状画像を表示する。ＡＶ処理方法１８０におけるＡＶ用リストとは、携帯型楽曲再生装置１６５の内蔵記憶装置に記録されている楽曲に係るリストである。
【００５６】
本発明は、プログラムとしても実現される。該プログラムはＡＶ処理装置１５０の各手段としてコンピュータを機能させる。あるいは、該プログラムはＡＶ処理方法１８０の各ステップをコンピュータに実行させる。
【図面の簡単な説明】
【００５７】
【図１】車載用マルチメディアシステム及び携帯型楽曲再生装置についてそれらの概略及び接続状態を示す全体図である。
【図２】トップカテゴリの画面の表示状態でのカラーモニターの正面図である。
【図３】カテゴリの階層図である。
【図４】楽曲名を要素とするリストのリスト部分の画面の表示状態でのカラーモニターの正面図である。
【図５】改良したジャンプバーの説明図である。
【図６】ジャンプバーにおける現在番号位置マークの幅についての説明図である。
【図７】ジャンプバーにおける目盛りについての説明図である。
【図８】車載用マルチメディアシステムのハードウェア構成図である。
【図９】ＡＶ処理装置の機能ブロック図である。
【図１０】ＡＶ処理方法のフローチャートである。
【符号の説明】
【００５８】
１５０：ＡＶ処理装置、１５１：リスト部分表示手段、１５２：帯状画像表示手段、１５３：タッチ位置検出手段、１５４：タッチ対応番号算出手段、１５５：変更指示手段、１５９：タッチディスプレイ、１６０：リスト部分、１６１：帯状画像、１６５：携帯型楽曲再生装置、１６６：現在番号位置マーク、１６７：目盛り、１６９：送受手段、１８０：ＡＶ処理方法。
【図１】
2006209258.tif 000003
【図２】
2006209258.tif 000004
【図３】
2006209258.tif 000005
【図４】
2006209258.tif 000006
【図５】
2006209258.tif 000007
【図６】
2006209258.tif 000008
【図７】
2006209258.tif 000009
【図８】
2006209258.tif 000010
【図９】
2006209258.tif 000011
【図１０】
2006209258.tif 000012